(57)【特許請求の範囲】
【請求項１】
負荷へのエネルギの供給及び停止を開閉信号に応じて切り換えるスイッチ部と、
上記スイッチ部に対応した識別コードに基づいて上記スイッチ部を閉成する閉信号を選択して送信する識別サーバと、
第１の通信部により上記識別サーバに上記スイッチ部に対応した識別コードを送信した後、この識別サーバより上記閉信号を受信したとき、上記第１の通信部と通信方式の異なる第２の通信部により閉信号を上記スイッチ部に送信する中継制御端末器とを備えたことを特徴とするエネルギ供給システム。
【請求項２】
識別コードが付され、スイッチ部を収納するとともに、エネルギの使用量を計量する計器を有し、
上記計器の識別コードは、上記スイッチ部に対応する識別コードであることを特徴とする請求項１記載のエネルギ供給システム。
【請求項３】
中継制御端末器を介して計器の計量値を収集する計量サーバを設けたことを特徴とする請求項２記載のエネルギ供給システム。
【請求項４】
中継制御端末器は、現在の計量値データを計器から受信し、前回の計量値及び前回の計量以前のエネルギ使用量データを計量サーバから受信し、これらの受信信号に基づいてエネルギ使用量をその表示部に表示するように構成されたことを特徴とする請求項３記載のエネルギ供給システム。
【請求項５】
計量サーバは、エネルギ使用量と料金に関連する複数の料金コースからなる料金体系データを保持し、過去のエネルギ使用量に基づいて、現在適用中の料金コースとその他の料金コースのときの料金を夫々演算し、その他の料金コースの中から最も料金が低くなる料金コースを選出し、その料金コースを適用したときの料金と現在の料金コースを適用したときの料金に関する信号を中継制御端末器に送信するように構成されたことを特徴とする請求項３記載のエネルギ供給システム。
【請求項６】
中継制御端末器は、エネルギ使用量に関連する複数の料金コースからこの料金コースを変更するための入力部と、現在の料金コースを適用したときの料金とその他の料金コースを適用したときの料金とを表示する表示部とを同一画面に表示するように構成したことを特徴とする請求項３記載のエネルギ供給システム。
【請求項７】
中継制御端末器は、識別コードとともに自己の電話番号を送信する携帯電話器であって、
識別サーバは、上記電話番号を上記携帯電話器を管理する携帯電話サーバに送信し、この携帯電話サーバより上記携帯電話番号に基づく承認があったとき、上記識別コードに基づいて上記スイッチ部を閉成する閉信号を選択して送信するように構成されたことを特徴とする請求項１記載のエネルギ供給システム。
【請求項８】
識別コードが付され、エネルギの使用量を計量する計器を有し、
識別サーバは、上記計器の計量値に基づいて得られたエネルギ使用量に対応した料金を演算し、この料金の決済を依頼する信号を携帯電話サーバに送信することを特徴とする請求項７記載のエネルギ供給システム。
【請求項９】
開閉信号は、開信号と閉信号で異なる信号としたことを特徴とする請求項１記載のエネルギ供給システム。
【請求項１０】
開閉信号に関する情報を中継制御端末器に表示しないことを特徴とする請求項１〜９のいずれか一項記載のエネルギ供給システム。
【請求項１１】
スイッチ部は、中継制御端末器と所定の期間通信できないとき、開閉しエネルギ供給を停止するように構成されたことを特徴とする請求項１記載のエネルギ供給システム。
【請求項１２】
第１、第２の負荷へのエネルギの供給及び停止を第１、第２の開閉信号に応じて切り換える第１、第２スイッチ部と、
上記第１、第２スイッチ部を統括する統括識別コードからこれら第１、第２のスイッチ部に対応した第１、第２の識別コードを選出し、この第１、第２の識別コードに基づいて上記第１、第２のスイッチ部を開閉する開閉信号を送信する識別サーバと、
上記識別サーバに上記第１、第２のスイッチ部を統括する統括識別コードを送信した後、上記第１、第２の識別コードとともに第１、第２の開閉信号を受信したとき、上記第１、第２スイッチ部に上記第１、第２の開閉信号を送信する中継制御端末器とを備えたことを特徴とするエネルギ供給システム。
【請求項１３】
負荷へのエネルギの供給及び停止を閉開信号に応じて切り換えるスイッチ部に対応した識別コードを入力する手段と、
識別サーバに上記識別コードを送信するとともにこの識別サーバからこの識別コードにより得られたスイッチ部の閉信号を受信する第１の通信部と、
上記第１の通信部と通信方式が異なり、上記識別サーバより上記閉信号を受信したとき、閉信号を上記スイッチ部に送信する第２の通信部とを備えたことを特徴とするエネルギ供給システム用の中継制御端末器。
【発明の詳細な説明】
【０００１】
【発明の属する技術分野】
この発明は、電気、ガス、水道等のエネルギを供給するシステム、それ用の中継制御端末器、及びそれ用のプログラムに関する。
【０００２】
【従来の技術】
例えば、特開平９−３０４４３９号公報には、従来の電力提供装置が開示されている。図２１は、従来の電力提供装置の概略構成を示すものである。
電力の提供を受けようとする需要者は、磁気カード読取・記録装置２０にクレジットカードを挿入し、外部入力装置１８よりクレジットカードに対応したパスワードを入力する。ＣＰＵ１０は、Ａ／D変換器１２よりクレジットカードの情報を入力し、また、外部入力装置１８よりパスワードを入力し、通信用モデム１６を介してクレジット会社の通信端末にクレジットカードの情報及びパスワードを送信する。クレジット会社の通信端末では、クレジットカードの情報及びパスワードによりそのクレジットカードが使用可能であるか否かを判別しその結果を、通信モデム１６を介してＣＰＵ１０に返信する。クレジットカードが使用可能であるとの返信を受けたＣＰＵ１０は、ソリッドステートリレー８を動作させる。この動作により、リレー開閉器４が閉じ、柱上配電線より電力が供給されることとなる。積算電力検出器６により使用電力量を検出し、ＣＰＵ１０は使用電力量に応じた料金を演算しその演算結果を、通信モデム１６を介してクレジット会社の端末装置に送信することにより、電力料金を徴収する。
【０００３】
また、クレジットカードに代えて、プリペイドカードを磁気カード読取・記憶装置２０に挿入することにより、ＣＰＵ１０はソリッドステートリレー８を動作させ、電力を提供する例も開示されている。この場合には、プリペイドカードの残度数をＣＰＵ１０が判別し、この残度数の範囲内でのみリレー開閉器４が閉じ、電力が提供されるように構成されている。
【０００４】
従来の電力提供装置は、上述したように、磁気カード読取・記憶装置２０でクレジットカードやプリペイドカードを読み込み、使用可能か否かを判別し、ＣＰＵ１０が使用電力量に応じた料金の請求或いは度数の削減を指令するので、磁気カード読取・記憶装置２０の設置スペースが必要となり、かつ使用電力量の料金体系を変更することが困難であるという問題があった。
この発明は、これらの課題を解決するものであって、省スペース、使用エネルギの料金体系の変更に対応できるエネルギ供給システム、それ用の中継制御端末器、及びそれ用のプログラムを提供するものである。
【０００５】
【発明が解決しようとする手段】
この発明に係るエネルギ供給システムは、負荷へのエネルギの供給及び停止を開閉信号に応じて切り換えるスイッチ部と、上記スイッチ部に対応した識別コードに基づいて上記スイッチ部を閉成する閉信号を選択して送信する識別サーバと、  第1の通信部により上記識別サーバに上記スイッチ部に対応した識別コードを送信した後、この識別サーバより上記閉信号を受信したとき、上記第1の通信部と通信方式の異なる第2の通信部により閉信号を上記スイッチ部に送信する中継制御端末器とを備えたものである。
【０００６】
また、識別コードが付され、スイッチ部を収納するとともに、エネルギの使用量を計量する計器を有し、上記計器の識別コードは、上記スイッチ部に対応する識別コードである。
また、中継制御端末器を介して計器の計量値を収集する計量サーバを設けたものである。
【０００７】
また、中継制御端末器は、現在の計量値データを計器から受信し、前回の計量値及び前回の計量以前のエネルギ使用量データを計量サーバから受信し、これらの受信信号に基づいてエネルギ使用量をその表示部に表示するように構成されたものである。
また、計量サーバは、エネルギ使用量と料金に関連する複数の料金コースからなる料金体系データを保持し、過去のエネルギ使用量に基づいて、現在適用中の料金コースとその他の料金コースのときの料金を夫々演算し、その他の料金コースの中から最も料金が低くなる料金コースを選出し、その料金コースを適用したときの料金と現在の料金コースを適用したときの料金に関する信号を中継制御端末器に送信するように構成されたものである。
また、中継制御端末器は、エネルギ使用量に関連する複数の料金コースからこの料金コースを変更するための入力部と、現在の料金コースを適用したときの料金とその他の料金コースを適用したときの料金とを表示する表示部とを同一画面に表示するように構成したものである。
【０００８】
また、中継制御端末器は、識別コードとともに自己の電話番号を送信する携帯電話器であって、識別サーバは、上記電話番号を上記携帯電話器を管理する携帯電話サーバに送信し、この携帯電話サーバより上記携帯電話番号に基づく承認があったとき、上記識別コードに基づいて上記スイッチ部を閉成する閉信号を選択して送信するように構成されたものである。
また、識別コードが付され、エネルギの使用量を計量する計器を有し、識別サーバは、上記計器の計量値に基づいて得られたエネルギ使用量に対応した料金を演算し、この料金の決済を依頼する信号を携帯電話サーバに送信するものである。
また、開閉信号は、開信号と閉信号で異なる信号としたものである。
また、開閉信号に関する情報を中継制御端末器に表示しないものである。
【０００９】
また、スイッチ部は、中継制御端末器と所定の期間通信できないとき、開閉しエネルギ供給を停止するように構成されたものである。
また、スイッチ部は、預り金払込信号を入力し、その預り金払込額に応じてエネルギ供給停止までの所定の期間を延長するものである。
また、識別コードが付され、エネルギの使用量を計量する計器を有し、スイッチ部は、計量開始からの期間を検出し、この期間に応じてエネルギ供給停止までの所定の期間を延長するものである。
【００１０】
また、第１、第２の負荷へのエネルギの供給及び停止を第１、第２の開閉信号に応じて切り換える第１、第２スイッチ部と、上記第１、第２スイッチ部を統括する統括識別コードからこれら第１、第２のスイッチ部に対応した第１、第２の識別コードを選出し、この第１、第２の識別コードに基づいて上記第１、第２のスイッチ部を開閉する開閉信号を送信する識別サーバと、上記識別サーバに上記第１、第２のスイッチ部を統括する統括識別コードを送信した後、上記第１、第２の識別コードとともに第１、第２の開閉信号を受信したとき、上記第１、第２スイッチ部に上記第１、第２の開閉信号を送信する中継制御端末器とを備えたものである。
また、中継制御端末器は、第２の通信部により通信可能な機器の識別コードを収集し、この収集した識別コードのうち、第１、第２の識別コードが一致する機器に第１、第２の開閉信号を送信するように構成されたものである。
【００１１】
また、この発明に係るエネルギ供給システム用の中継制御端末器は、負荷へのエネルギの供給及び停止を閉開信号に応じて切り換えるスイッチ部に対応した識別コードを入力する手段と、識別サーバに上記識別コードを送信するとともにこの識別サーバからこの識別コードにより得られたスイッチ部の開信号を受信する第1の通信部と、上記第1の通信部と通信方式が異なり、上記識別サーバより上記閉信号を受信したとき、閉信号を上記スイッチ部に送信する第2の通信部とを備えたものである。
【００１２】
また、この発明に係るエネルギ供給システム用のプログラムは、負荷へのエネルギの供給及び停止を閉開信号に応じて切り換えるスイッチ部に対応した識別コードを入力させるステップと、識別サーバに上記識別コードを第１の通信部より送信させるステップと、上記識別サーバから上記識別コードより得られたスイッチ部の開信号を上記第１の通信部により受信させるステップと、上記識別サーバより上記閉信号を受信したとき、上記第1の通信部と通信方式が異なる第2の通信部により、閉信号を上記スイッチ部に送信させるステップとを含むものである。
【００１３】
【発明の実施の形態】
実施の形態１．
以下、この発明の実施の形態１について説明する。実施の形態１では、電力、ガス、水道等のエネルギ供給システムのうち、電力の供給システムについて説明する。
図１はこの発明の実施の形態１に係る電力供給システムの概略構成を示すブロック図、図２は図１の電力量計の機能を説明するブロック図、図３は図１の携帯電話器の機能を説明するブロック図、図４は図１の電力供給システムの概略動作を説明するタイミングチャート、図５は図1の携帯電話器に表示される画面、図６は図１の携帯電話器で実行されるプログラムのフローチャートである。
【００１４】
図１において、１００は電力の供給を受けた負荷１０８が電力を消費するユーザ宅であり、例えば、賃貸マンションや賃貸アパートの一戸、長期滞在型ホテルや病院や養護施設の一室、オートキャンプ場、会議室、貸し倉庫等である。１０２は需要家（ユーザ）に配電線１０４を介して電力を供給する柱上配線電路、１０８は照明設備や空調設備等の負荷であり、配電線１０６を介して電力が供給される。配電線１０６には、負荷１０８及び配電線１０６を保護する図示しない回路遮断器が設けられている。
【００１５】
１１０は、配電線１０４と配電線１０６間に直列に接続され負荷１０８への電力の供給を制御するスイッチ部１１４や、使用電力量の積算値等を表示する表示部１１８等を有し、その筐体にＩＤ番号１２４（識別コード）例えば製造番号が付された電力量計（計器）である。その詳細は図２を参照し、センサ部１１２は、負荷１０８に供給される電流及び電圧を計測する。スイッチ部１１４は、演算部１１６からの開閉信号に応じて開閉し、配電線１０４、１０６間をスイッチングする。演算部１１６は、センサ部１１２で計測された電流値及び電圧値並びに図示しない時計装置からの時刻により電力量を演算により求め、表示部１１８に表示させる。１２０はbluetooth（近距離の無線データ通信規格：Telefonaktiebolaget LM Ericsson社の登録商標）対応の通信部であり、演算部１１６の指令により、アンテナ１２２を介して外部のbluetooth対応機器と通信する。
【００１６】
図３を参照し、１３０は通信方式の異なる２系統の通信部１３４、１３６、液晶の表示部１３２等を有する中継制御端末器例えば携帯電話器である。第１の通信部１３４は電話通信プロトコルに対応しWWW（World Wide Web）ブラウザ機能を有し、電力会社サーバ１５０とインターネット回線１４０を介して通信できる。また、第２の通信部１３６は、bluetooth対応であり電力量計１１０と通信できる。１３１は、制御指令や演算処理する演算部（ＣＰＵ）、１３２は演算部１３１の表示指令に応じた表示をする液晶の表示部、１３４は第１の通信部、１３５は第１の通信部１３４の周波数帯域の信号を送受信するアンテナ、１３６は第２の通信部、１３７は第２の通信部１３６の周波数帯域の信号を送受信するアンテナ、１３８は半導体のメモリにより構成された記憶部、１３９はテンキー等などの数値、文字を入力する入力部である。
【００１７】
図１に戻って、１５０は電力会社の管理する電力会社サーバ（識別サーバ、計量サーバ）であり、携帯電話器１３０がダウンロードして電力の使用開始、料金の表示等をするソフトウェア、ＩＤ番号１２４に対応しスイッチ部１１４を開閉させるためのパスワード、電力料金体系等を記憶している。１６０は携帯電話器のサービスを提供する電話会社の管理する電話会社サーバ（携帯電話サーバ）であり、携帯電話器１３０の電話番号、契約者氏名、支払い実績、決済口座等のデータを記憶している。１７０はクレジット会社の管理するクレジット会社サーバであり、電力会社サーバ１５０や電話会社サーバ１６０からの請求に応じて、電力料金や電話料金を金融機関等からオンラインにより精算（決済）する。
【００１８】
次に動作について説明する。
（入居時）
図１〜図６を参照し、ユーザは、新たにユーザ宅１００に入居したとき、携帯電話器１３０のWWWブラウザ機能により電力会社サーバ１５０の新規入居画面にアクセスし（S１００）、新規入居用のJAVAアプレット（ソフトウェア（SW））をダウンロードする（S１０２）。
このJAVAアプレットを起動すると（Ｓ１０２ａ）、新規入居画面Ｗ１００（図５（ａ））が表示される（Ｓ１０２ｂ）。ユーザは電力量計１１０のＩＤ番号１２４を参照して、ＩＤ番号を入力ボックス２００より入力し（Ｓ１１０ａ）、退居日時が予め決まっていれば退居日時を入力ボックス２０２より入力し（Ｓ１１０ｂ）、電力料金の決済方式を選択ボックス２０４より選択した（Ｓ１１０ｃ）後、送信釦２０６を押下（実行）する。
この操作により送信指令を検出すると（Ｓ１１０ｄ）、新規入力画面Ｗ１００を設定画面Ｗ１０２（図５（ｂ））に切り換えるとともに、電話番号を携帯電話器１３０の記憶部１３８から取得し（Ｓ１１０ｆ）、ＩＤ番号とともに電力会社サーバ１５０へ送信する（Ｓ１１０）。
【００１９】
なお、Ｓ１１０ａにおけるＩＤ番号１２４の入力は、キー入力でもよいが、新規入居画面Ｗ１００において、例えばプルダウンメニュー形式で、通信可能なbluetooth対応機器の一覧を表示させ、その中から選択するようにしてもよく、この方式は入力ミスがないので好ましい。ＩＤ番号１２４が入力されたとき、このＩＤ番号１２４を記憶部１３８に記憶すれば、これ以降ＩＤ番号１２４が必要なときは記憶部１３８から呼び出して使用することができる。
また、Ｓ１１０ｃにおける選択ボックス２０３で選択する決済方式とは、携帯電話器１３０の使用料と同一口座による清算（引き落とし）、指定金融機関による清算（引き落とし）、請求書（用紙）の配送等の方式である。
実施の形態１では、決済方式として、携帯電話器１３０の使用料と同一口座による清算、退居日時は未入力の場合について説明する。
【００２０】
Ｓ１１０によりＩＤ番号及び電話番号を受信した電力会社サーバ１５０は、承認要求とともに電話番号を電話会社サーバ１６０に送信する（Ｓ１１２）。
電話会社サーバ１６０は、送信された電話番号が自己の管理・管轄するものであることを承認し（Ｓ１１４）、承認応答を電力会社サーバ１５０に送信する（Ｓ１１６）。Ｓ１１４において、電力会社サーバ１６０は、自己の管理・管轄するものであることに加え、この電話番号の携帯電話器１３０のユーザが所定期間料金を未納でないとき承認するようにしてもよい。
【００２１】
Ｓ１１６により承認応答を受信した電力会社サーバ１５０は、ＩＤ番号１２４に対応するパスワードを選択し携帯電話器１３０に送信する（Ｓ１１８）。携帯電話器１３０はパスワードの受信を検出すると（Ｓ１１８ａ）、このパスワードを電力量計１１０に送信する（Ｓ１２０）とともに自己の記憶部１３８にこのパスワードを記憶する。
Ｓ１２０によりパスワードを受信した電力量計１１０は、演算部１１６により電力量計１１０の図示しない記憶部に記憶されたパスワードと、Ｓ１２０により受信したパスワードを比較し、一致するとき、演算部１１６はスイッチ部１１４に閉信号を与える。この閉信号によりスイッチ部１１４が閉成（ＯＮ）し、負荷１０８に電力が供給される（Ｓ１２２）。
これにより、電力量計１１０のセンサ部１１２及び演算部１１６により電力量の計測を開始するとともに、その計測開始時の初期指示値（初期検針値）を携帯電話器１３０に送信する（Ｓ１２４）。
携帯電話器１３０は、Ｓ１２４により初期指示値の受信を検出すると（Ｓ１２４ａ）、初期指示値を電力会社サーバ１５０に送信し（Ｓ１２６）、その表示部に使用表示画面Ｗ１０４（図５（ｃ））を表示する（Ｓ１２６ａ）。使用表示画面Ｗ１０４の表示の詳細に（Ｓ２０２、Ｓ２０４、Ｓ２０６）ついては後述する。
【００２２】
（料金徴収）
電力会社サーバ１５０は、所定の期間毎、例えば１ヶ月毎に、携帯電話器１３０に検針要求をする（Ｓ１３０）。Ｓ１３０により検針要求を受信したとき（Ｓ１３２ａ）、携帯電話器１３０は電力量計１１０に検針（値）を要求する（Ｓ１３２）。
Ｓ１３２により検討要求を受信した電力量計１１０は、そのときの指示値を検針値として、携帯電話器１３０に送信する（Ｓ１３４）。なお、電力量計１１０はＳ１３４により指示値を送信するまでは所定の期間毎の指示値を図示しない記憶装置に記憶しておくことが好ましい。Ｓ１３４により検針応答を受信したとき（Ｓ１３４ａ）、携帯電話器１３０は指示値を電力会社サーバ１５０に送信する（Ｓ１３６）。
電力会社サーバ１５０は、当月の指示値から前月の指示値の差に応じて電力料金を求める（Ｓ１３８）。ユーザが入居後、第１回目の電力料金は、当月の指示値からＳ１２６における初期指示値の差に応じて求めることとなる。
【００２３】
Ｓ１３８により電力料金を求めた電力会社サーバ１５０は、携帯電話器１３０に当月の電力料金に係る請求額及び使用電力量を通知する（Ｓ１４０）。この通知を受信すると（Ｓ１４０ａ）、携帯電話器１３０の表示部に請求画面Ｗ１０６（図５（ｄ））が表示され（Ｓ１４０ｂ）、ユーザはコメント２２０により請求額を確認することができる。この画面Ｗ１０６の使用表示画面へ釦２２２を押下すると使用表示画面Ｗ１０４に戻る（Ｓ１４０ｃ）。
また、電力会社サーバ１５０は、請求額と携帯電話器１３０の電話番号の情報を含む信号を電話会社サーバ１６０に送信し、決済を要求する（Ｓ１４２）。
Ｓ１４２により電力料金の決済要求を受けた電話会社サーバ１６０は、クレジット会社サーバ１７０に携帯電話器１３０の使用料金を決済するクレジット会社の口座番号、決済金額、債務者（ユーザ）氏名を通知する（Ｓ１４４）。クレジット会社は、携帯電話器１３０の使用料金と併せて電力料金を決済し、ユーザ、電力会社に領収を通知する。
【００２４】
なお、携帯電話器１３０は、Ｓ１２４により初期指示値を受信したとき初期指示値を、Ｓ１３４により検針応答を受信したときその指示値を、Ｓ１４０ａの通知により当月の電力料金及び使用電力量を受信したときその電力料金及び使用電力量を、記憶部１３８に記憶することが好ましい。この場合、指示値、電力料金、使用電力量は、最新のもののみを記憶することが記憶容量の削減の観点から好ましい。
【００２５】
（退居時）
ユーザは、ユーザ宅１００から退居するとき、使用表示画面Ｗ１０４の退居項目２１８「＃」を選択する。この選択により、携帯電話器１３０は退居指令を検出し（Ｓ２００ａ）、退居用の画面Ｗ１１０（図５（ｅ））を表示する（Ｓ２００ｂ）。なお、Ｓ１１０ｂにより予め退居日時が入力されているときは、演算部１１６は自己の時計装置による日時と入力された退居日時を比較し、一致するとき退居指令を検出することとなる（Ｓ２００ａ）。
ついで、入力ボックス２３０から退居日時を入力し（Ｓ２００ｃ）、送信釦２３２を押下すると（Ｓ２００ｄ）、ＩＤ番号１２４及び退居日時を含む退居情報が電力会社サーバ１５０に通知される（Ｓ２００）。
また、Ｓ２００ｄにより送信釦２３２が押下されると、ＩＤ番号１２４、電力量計１１０に現在の指示値である検針値を要求する情報、及びスイッチ部１１４を開離（ＯＦＦ）させるパスワードを含む情報を送信する（Ｓ２１２）。なお、パスワードはＳ１１８により携帯電話器１３０の記憶部１３８に記憶しておいたものを読み出す。
【００２６】
Ｓ２１２によりパスワードを受信した電力量計１１０は、演算部１１６により電力量計１１０の図示しない記憶部に記憶されたパスワードと、Ｓ２１２により受信したパスワードを比較し、一致するとき、演算部１１６はスイッチ部１１４に開信号を与える。このスイッチ部１１４の開離により負荷１１８への電力供給が停止される（Ｓ２１４）。
また、電力量計１１０は、そのときの指示値を検針値として、携帯電話器１３０に送信する（Ｓ２１６）。
携帯電話器１３０はＳ２１６による検針応答を受信すると（Ｓ２１６ａ）、その指示値を電力会社サーバ１５０に送信する（Ｓ２１８）。
【００２７】
Ｓ２２０により電力料金を求めた電力会社サーバ１５０は、携帯電話器１３０に当月の電力料金に係る請求額を通知する（Ｓ２２２）。この通知を受信すると（Ｓ２２２ａ）、携帯電話器１３０の画面に請求画面Ｗ１０８（図５（ｄ１））が表示され（Ｓ２２２ｂ）、ユーザはコメント２２０により請求額を確認することができる。この画面Ｗ１０６の終了釦２２４を押下すると新規入居用のJAVAアプレットは全て終了する（Ｓ２２２ｃ）。
また、電力会社サーバ１５０は、Ｓ２１８により受信した指示値から前月の指示値の差に応じて電力料金を求める（Ｓ２２０）。その後、Ｓ１４２、Ｓ１４４の手順と同様にして請求、決済、債権回収を行う（Ｓ２２４、Ｓ２２６）。
【００２８】
以上のように、javaアプレットを電力会社サーバ１５０よりダウンロードし、携帯電話器１３０を介して、電力会社サーバ１５０から電力量計１１０のスイッチ部１１４へＩＤ番号１２４に対応したパスワード（開閉信号）を与えることができ、専用の磁気カードリーダや通信設備を不要にできる。また、ユーザ単位で、電力の使用、料金支払いをできるので、大家、管理会社等による料金集計等の管理が不要となる。
また、電力量計１１０の指示値を電力会社サーバ１５０に送信するので、javaアプレット（ソフトウェア）をアップグレード或いは変更するのみで、電力料金体系の変更や、夜間電力使用契約や時間帯別電力使用契約等様々な料金体系の中から容易に使用形態（契約方法）を選択或いは変更することができる。
【００２９】
また、スイッチ部１１４は、電力量計１１０の封印された筐体内部にあり、その開閉信号となるパスワードは電力会社サーバ１５０に保管されているので、セキュリティレベルが高く盗電を効果的に予防できる。
また、パスワードは携帯電話器１３０の表示部１３２に表示されないので、ユーザにパスワードを知られることがない。また、パスワードを暗号化することがセキュリティの観点からは好ましい。
【００３０】
また、Ｓ１２６により、電力量計１１０の初期指示値を電力会社サーバ１５０に送信するので、それまでの計量値の累積を知ることができ、電力量計１１０の使用状況を把握するとともにその寿命管理をすることができる
また、携帯電話器１３０の電話番号により電力供給の承認をするので、暗証番号等を入力する必要がなくユーザの個人情報が漏洩しないとともに、その承認が容易である。
また、電力料金を携帯電話器１３０の使用料金と同一の口座により決済するので、新たに決済口座を設ける必要がなく、かつ確実に料金を清算（回収）できる。
【００３１】
実施の形態２
実施の形態２では、使用表示画面Ｗ１０４（図５（ｃ））の使用時の動作について説明する。図７は携帯電話器の使用時の表示画面を示す図である。図８はトレンド表示を説明するフローチャート、図９は見積り表示を説明するフローチャート、図１０は過去実績表示を説明するフローチャートである。図１１は電力会社サーバに記憶される料金体系テーブルを示す表図である。
Ｓ１２６ａ（図６）により表示された使用表示画面Ｗ１０４（図５（ｃ））から１〜３のいずれかの項目番号を選択すると、表示指令を検出し（Ｓ２０２）、その表示指令に応じた表示画面が表示される（Ｓ２０４）。その後、戻る釦２４４を押下すると表示部が使用表示画面Ｗ１０４に切り換わる（Ｓ２０６）。
【００３２】
（項目番号１）
項目番号１のトレンド表示２１２を選択すると（Ｓ２０２ａ）、電力会社サーバ１５０に月別のトレンドデータを要求し（Ｓ２０２ｂ）、このデータを受信するとこのデータに基づいて月別のグラフ２４０（この例では９ヶ月間）を作成し（Ｓ２０２ｃ）、表示部がトレンド表示画面（月）Ｗ１３０（図７（ｃ１））に切り換わる（Ｓ２０４）。グラフ２４０は、横軸が月、縦軸が使用電力量を示し、当月（８月）の使用電力量を○印で表示している。
【００３３】
この画面Ｗ１３０の日別釦２４２を押下すると（Ｓ２０８ａ）、電力量計１１０に当月の日別使用電力量データを要求し（Ｓ２０８ｂ）、このデータを受信するとこのデータに基づいて日別のグラフ２４６（この例では７日間）を作成し（Ｓ２０８ｃ）、トレンド表示画面（日）Ｗ１３２（図７（ｃ２））に切り換わる（Ｓ２０８ｄ）。トレンド表示画面（日）Ｗ１３２は、横軸が日、縦軸が使用電力量を示し、前日（２０日）までのデータを表している。
トレンド表示画面（月）Ｗ１３０、トレンド表示画面（日）Ｗ１３２で、戻る釦２４４を押下すると表示部が使用表示画面Ｗ１０４に切り換わる（Ｓ２０６）。
【００３４】
（項目番号２）
項目番号２の見積り表示２１４を選択すると（Ｓ２０２ｄ）、電力量計１１０に当月の現在迄の使用電力量データを要求し（Ｓ２０２ｅ）、このデータを受信するとこのデータを記憶部１３８に記憶するとともに（Ｓ２０２ｆ）、電力会社サーバ１５０に当月の見積り要求信号を送信する（Ｓ２０２ｇ）。この要求信号には、Ｓ２０２ｆで受信したデータ、ＩＤ番号１２４を含んでいる。
【００３５】
Ｓ２０２ｇにより見積り要求信号を受信した電力会社サーバ１５０は、ＩＤ番号１２４に対応した前月の使用電力量を自己の記憶装置から呼び出し、この値と、現在迄の使用電力量（Ｓ２０２ｆで受信したデータ）、料金体系等に基づいて、当月の電力料金の見積り値を演算する。その後、電力会社サーバ１５０は、当月の電力料金の見積り値と、前月の使用電力量とを見積り応答として携帯電話器１３０に送信する。
【００３６】
見積り応答を受信した（Ｓ２０２ｈ）携帯電話器１３０は、電力会社サーバ１５０から受信した見積り値、前月の使用電力量、自己の記憶部１３８に記憶している当月の現在迄の使用電力量を、見積り表示画面Ｗ１３４（図７（ｃ３））に表示する（Ｓ２０４）。即ち、見積り表示画面Ｗ１３４は、その表示領域２５０に、当月の現在までの使用電力量である現在電力量○○ｋＷｈと、前月の使用電力量である前月電力量××ｋＷｈと、当月見積り△△円を表示している。
見積り表示画面Ｗ１３４で、戻る釦２４４を押下すると表示部が使用表示画面Ｗ１０４に切り換わる（Ｓ２０６）。
【００３７】
（項目番号３）
項目番号３の過去実績表示２１６を選択すると（２０２ｉ）、電力会社サーバ１５０にＩＤ番号１２４、使用電力量及び電力料金に関する過去実績データを要求する信号を送信する（Ｓ２０２ｊ）。電力会社サーバ１５０では、要求に応じた過去実績データと、この過去実績に基づいて推奨コースにおける電力料金データ、料金体系のコース番号、及びその料金体系を携帯電話器１３０に送信する。
ここで、推奨コースにおける電力料金とは、図１１に示す料金体系テーブルを電力会社サーバ１５０は有しており、この料金体系の中から例えば前２ヶ月（６月と７月）の指示値データを用いて電力料金の和が最も低いものを選出した料金である。図１１において、コース０１は、基本料金がなく従量料金のみ、コース０２は基本料金がなく、平日と休日でその従量料金単価が異なる、コース０３〜０５は基本料金があり、従量料金のみ、昼間と夜間でその従量料金単価が異なる、使用電力量によりその従量料金単価が異なる例を示している。そして、コース０２、コース０４の料金体系に対応するためには、Ｓ１３４、Ｓ１３６においてそのときの指示値に加えて、曜日別、時間帯別の指示値を併せて受信するようにしておく必要がある。
【００３８】
電力会社サーバ１５０から過去実績データ及び推奨コースに関するデータを受信した携帯電話器１３０は、その受信データに含まれる過去の使用電力量、電力料金及び推奨コースにおける電力料金を、過去実績表示画面Ｗ１３６（図７（ｃ４））に表示する（Ｓ２０４）。即ち、過去実績表示画面Ｗ１３６は、その表示領域２６０に、前月（７月）と前々月（６月）の使用電力量（ｋＷｈ）と電力料金（円）、及び各月の推奨コースにおける電力料金を表示している。
過去実績表示画面Ｗ１３６で、戻る釦２４４を押下すると表示部が使用表示画面Ｗ１０４に切り換わる（Ｓ２０６）。
【００３９】
一方、過去実績表示画面Ｗ１３６の推奨コース釦２６２を押下すると（Ｓ２０５ａ）、推奨コース表示画面Ｗ１３８（図７（ｃ５））が表示される（Ｓ２０５ｂ）。表示領域２６４には、現在のコース番号とその料金体系、及び推奨のコース番号とその料金体系が表示されている。
推奨コース表示画面Ｗ１３８で、コース変更釦２６４を押下すると（Ｓ２０５ｃ）、携帯電話器１３０は、電力会社サーバ１５０に料金体系のコースを変更する信号を送信する（Ｓ２０５ｄ）。この信号を受信した、電力会社サーバ１５０は翌月（次料金精算期間）から変更された料金体系に応じて、電力料金を計算し、精算する。
一方、推奨コース表示画面Ｗ１３８で、戻る釦２４４を押下すると（Ｓ２０６）料金体系は変更さず、表示部が使用表示画面Ｗ１０４に切り換わる。
【００４０】
以上のように、当月のデータを電力量計１１０に、過去のデータ電力会社サーバ１５０から得て、また、電力料金を電力会社サーバ１５０で演算するので、常時最新のデータを得ることができるとともに、電力料金の体系が変わっても即座に対応でき、さらに携帯電話器１３０の記憶部１３８の容量が小さいもので実現できる。
また、電力料金とともに料金体系の異なるコースから最適な（この実施の形態では最低料金）を表示するので、ユーザにとって安価にエネルギの提供を受けられるというメリットがある。また、コース選択釦２６４を押下するのみで、料金体系の異なるコースに変更でき手続きが容易である。また、現在のコースと推奨コースの料金体系とコース変更釦２６４が同一画面に表示されているので、操作を誤ってコースを変更する可能性が低い。
【００４１】
実施の形態３
図１２は実施の形態３に係る電力供給システムの動作を説明するフローチャートである。実施の形態３は電力量計１１０のスイッチ部１１４のパスワードを携帯電話器１３０の記憶部１３８に記憶しない点で実施の形態１と相違する。即ち、図１２において、Ｓ１２０Ｂ、Ｓ２１０、Ｓ２１２Ｂが実施の形態１と相違する。その他の構成は実施の形態１と同様のであるのでその説明を省略する。
【００４２】
次にこの相違を中心に動作を説明する。
入居時には、Ｓ１１８ａ（図６）により携帯電話器１３０がパスワードの受信を検出すると、このパスワードを電力量計１１０に送信する（Ｓ１２０Ｂ）。このとき、パスワードは携帯電話器１３０に保存しない。
退居時には、Ｓ２００によりＩＤ番号１２４を含む退居通知を受信した電力会社サーバ１５０は、ＩＤ番号１２４に該当するパスワードを選択し携帯電話器１３０に送信する（Ｓ２１０）。この信号を受信した携帯電話器１３０は、電力量計１１０に現在の指示値である検針値を要求する情報、及びスイッチ部１１４を開離（ＯＦＦ）させるパスワードを含む情報を送信する（Ｓ２１２Ｂ）。
【００４３】
以上のように、携帯電話器１３０の記憶部１３８にパスワードを記憶しないので、パスワードが漏洩することを防止できる。
また、Ｓ１２０Ｂで電力量計１１０に送信するパスワードと、Ｓ２１２Ｂで電力量計１１０に送信するパスワードを異なるものとすることが好ましい。例えば、２台の携帯電話器１３０、１１０を使用するユーザが、誤って別の時に各携帯電話器１３０、１１０から電力会社サーバ１５０にアクセスし設定作業をすると、電力量計１１０は２度目のパスワード受信を退居指令と判断し、スイッチ部１１４を開離させるという問題がなく、システムの安定性に優れるからである。
【００４４】
実施の形態４
この発明の実施の形態４について説明する。図１３は実施の形態４に係る電力量計の動作を説明するフローチャートである。図１４は携帯電話器のメッセージ画面を示す図である。図１５は電力供給システムの入居時の動作を説明するタイミングチャートである。
実施の形態１で説明したように、ユーザが入居したとき、Ｓ１２２（図４、図１３）により電力量計１１０のスイッチ部１１４が閉成し、負荷１０８に電力が供給される。
その後、電力量計１１０と携帯電話器１３０等のbluetooth機器は、bluetooth通信により、定期的に自己の通信可能相手を検出し、把握している。
電力量計１１０は、スイッチ部１１４を開離する基準となる所定の期間Tを演算し（S３０２〜S３０４）、携帯電話器１３０との通信が不通となってからの通信不通期間ｔと所定の期間Tとを比較している（S３０６）。
【００４５】
ここで、所定の期間Tは、下式１により定められるもので、Ｔｋは預り金の額に応じて増加する関数、Ｔｃは契約継続期間に応じて増加する関数である。例えば、下式１は、預り金０円、契約継続期間０ヶ月、Ｔ０＝１０日のときは、Ｔ＝Ｔ０＝１０日となる。
Ｔ＝Ｋ＊Ｔｋ＋Ｃ＊Ｔｃ＋Ｔ０  ・・・（式１）
但し、Ｋ：定数、Ｃ：定数、Ｔ０：定数、Ｔｋ：預り金情報、Ｔｃ：契約継続情報
ここで、預り金とは、予め決済口座に所定の金額を入金しておき、電気料金未納時に優先的にその所定の金額の範囲内で決済権を電力会社に与えたもので、電気料金を完納して退居する際にはユーザに返金される。
【００４６】
預り金の入金は、例えば、Ｓ３０２の対応としては、Ｓ１１０ｄ（図６）で送信指令がなされた後、設定画面Ｗ１０２に代えて、メッセージ画面Ｗ１４０（図１４（ｂ１））を表示させること、また、Ｓ３１０の対応としては、使用表示画面Ｗ１０４（図５（ｃ））に選択釦を設けておき、メッセージ画面Ｗ１４０（図１４（ｂ１））を表示させることで実現できる。メッセージ画面Ｗ１４０には１０日不在で断電すること、また、ユーザが預り金を入金することで、式１に従った期間、例えば２０００円で１０日、５０００円で５０日断電期間が延長されることが表示されている。ユーザは、メッセージ画面Ｗ１４０の入金ボックス２７０に所定の金額（０円を含む）を入力し、送信釦２７４を押下することで断電期間を延長することができる（金額が０円の時は延長０日）。
【００４７】
送信釦２７４を押下すると、携帯電話器１３０はＩＤ番号１２４とともに入金ボックス２７０に入金された金額である預り金情報を電力会社サーバ１５０に送信する（Ｓ１２８Ａ）。
電力会社サーバ１５０は電話会社サーバ１６０に預り金の決済を請求し（Ｓ１２８Ｂ）、この請求を受信した電話会社サーバ１６０はクレジット会社サーバ１７０に所定の金額の決済を依頼する（Ｓ１２８Ｃ）。
クレジット会社サーバ１７０が所定の金額を決済すると、電話会社サーバ１６０に承認応答し（Ｓ１２８Ｄ）、この応答を受信した電話会社サーバ１６０は電力会社サーバ１５０に承認応答する（Ｓ１２８Ｅ）。
Ｓ１２８Ｅにより承認応答を受信した電力会社サーバ１５０は、預り金情報を携帯電話器１３０に送信する（Ｓ１２８Ｆ）。
Ｓ１２８Ｆを受信した携帯電話器１３０は預り金情報を電力量計１１０に送信する（Ｓ１２８Ｇ）。Ｓ１２８Ｇによる預り金情報は、Ｓ３１０或いはＳ３１４で入力され、その値をＳ３０３で代入することにより、断電期間が延長される。
【００４８】
以上のように、bluetooth機器間の通信により相手の不在を検出するようにしたので、この不在期間が所定の期間を超えたとき断電することができ、不要な電力の消費を抑制でき、さらに料金未回収時の損失リスクが少ない。この効果は特に短期滞在型のユーザ宅の場合に特に有効である。
また、預り金や契約継続期間に応じて断電までの期間を延長できるので、不要な電力の消費を抑制でき、さらに料金未回収時の損失リスクが少ない。
【００４９】
なお、預り金や契約継続期間による断電期間の延長をさせるプログラム、式１、或いは式１の定数は、予め電力量計１１０に記憶させておいても良いが、電力会社サーバ１５０にこれらの情報を記憶しておき、Ｓ１０２（図１５）のＳＷダウンロードの際に併せてダウンロードし、携帯電話器１３０を介して、Ｓ１２０のパスワード送信の際に併せて電力量計１１０に送信し、設定するようにしてもよい。この場合には、電力量計１１０の使用状況や設置場所や預り金等と断電期間を容易に変更できるので好ましい。
また、断電期間を、式１により演算によって求める例について説明したが、預り金と契約継続期間と断電期間との関係を予め定めたテーブルを準備しておき、このテーブルを参照して断電気間を求めるものであってもよい。
【００５０】
実施の形態５
実施の形態５ではエネルギ供給システムとして、電力、ガス、水を供給する例について説明する。
図１６は実施の形態５の電力、ガス、水を供給するシステムの概略構成を示すブロック図である。図１７は図１６の電力、ガス、水供給システムの概略動作を説明するタイミングチャートである。図１８は図１６の入力支援サーバに保管されたユーザ宅ＩＤ番号に対応する計器ＩＤ番号及びパスワードテーブルを示す図であり、パスワードは暗号化されており＊＊＊＊＊と表記してある。図１９は図１６の携帯電話器が収集した通信可能なbluetooth対応機器のＩＤ番号を説明する表図、図２０は図１６の携帯電話器に表示される画面を示す図である。
【００５１】
図１６において、５０２は需要家（ユーザ）に屋外ガス配管５０４を介してガスを供給するガス管、５０８はガス給湯器、ガスコンロ等の負荷であり、屋内ガス配管５０６を介してガスが供給される。５１０は、屋外ガス配管５０４と屋内ガス配管５０６間に直列に接続され負荷５０８へのガスの供給を制御するスイッチ部（バルブ）５１４や、ガス使用量の積算値等を表示する表示部５１８等を有し、その筐体にＩＤ番号５２４が付されたガス計であり、bluetooth通信機能を有している。
【００５２】
６０２は需要家（ユーザ）に屋外配管６０４を介して水を供給する水道主管、６０８は水道蛇口等の負荷であり、屋内配管６０６を介して水が供給される。６１０は、屋外配管６０４と屋内配管６０６間に直列に接続され負荷６０８への水の供給を制御するスイッチ部（バルブ）６１４や、水使用量の積算値等を表示する表示部６１８等を有し、その筐体にＩＤ番号６２４が付された水道計であり、bluetooth通信機能を有している。
【００５３】
８００はユーザ宅１００を識別するユーザ宅ＩＤ番号（統括識別コード）と入居支援サーバ７００のアドレス（ＩＰ（internet protocol）アドレス、或いはHTTP（hyper text transfer protocol）アドレス）とが記載されたユーザ宅情報であり、入り口ドア等に設置されている。１８０はガス会社の管理するガス会社サーバであり、携帯電話器１３０がダウンロードしてガスの使用開始、料金の表示等をするソフトウェアを記憶している。１９０は水道会社の管理する水道会社サーバであり、携帯電話器１３０がダウンロードして水道の使用開始、料金の表示等をするソフトウェアを記憶している。７００は電気、ガス、水道の使用開始、料金の表示等をするソフトウェアを記憶している入居支援サーバである。なお、ガス会社サーバ１８０、水道会社サーバ１９０に記憶しているソフトウェアは実施の形態１〜４で説明した電力会社サーバ１５０に記憶されたソフトウェアと同様のものである。その他の構成は実施の形態１と同様であるのでその説明を省略する。
【００５４】
次に動作を説明する。
（入居時）
ユーザは、新たにユーザ宅１００に入居したとき、ユーザ宅情報８００に記載されたアドレスにアクセスし（S５００）、新規入居用のJAVAアプレット（ソフトウェア（SW））をダウンロードする（S５０２）。
このJAVAアプレットを起動すると、新規入居画面Ｗ５００（図２０（ａ））が表示される。ユーザはユーザ宅情報８００のユーザ宅ＩＤ番号を参照して、ユーザ宅ＩＤ番号（この例ではU００３）を入力ボックス５００より入力し、退居日時が予め決まっていれば退居日時を入力ボックス５０２より入力し、電力、ガス、水道料金の決済方式を選択ボックス５０４より選択した後、送信釦５０６を押下（実行）する。
この操作により、新規入力画面Ｗ５００を設定画面Ｗ５０２（図２０（ｂ））に切り換えるとともに、電話番号を携帯電話器１３０の図示しない記憶装置から取得し、ユーザ宅ＩＤ番号とともに入力支援サーバ７００へ送信する（Ｓ５１０）。
【００５５】
Ｓ５１０によりユーザ宅ＩＤ番号及び電話番号を受信した入居支援サーバ７００は、電話番号を電話会社サーバ１６０に送信する（Ｓ５１２）。
電話会社サーバ１６０は、送信された電話番号が自己の管理・管轄するものであることを承認し（Ｓ５１４）、承認応答を入居支援サーバ７００に送信する（Ｓ５１６）。
【００５６】
Ｓ５１６により承認応答を受信した入居支援サーバ７００は、ユーザ宅ＩＤ番号に対応する計器ＩＤ番号及びパスワードテーブル（図１８）を参照し、ユーザ宅ＩＤ番号（この場合Ｕ００３）に対応した計器のＩＤ番号１２４、５２４、６２４（この場合Ｅ２２２、Ｇ８１４、Ｍ００９）及び対応したパスワードを携帯電話器１３０に送信する（Ｓ５１８）。携帯電話器１３０はＩＤ番号１２４、５２４、６２４及び対応したパスワードを受信すると、受信したＩＤ番号１２４、５２４、６２４（図１９の登録ＩＤ）に一致するＩＤ番号を通信可能なbluetooth対応機器（図１９の検出ＩＤ）から選出し、電力量計１１０、ガス計５１０、水道計６１０に送信する（Ｓ５２０Ａ、Ｓ５２０Ｂ、Ｓ５２０Ｃ）とともに自己の記憶部１３８にこれらのパスワードを記憶する。
【００５７】
Ｓ５２０Ａ、Ｓ５２０Ｂ、Ｓ５２０Ｃによりパスワードを受信した電力量計１１０、ガス計５１０、水道計６１０は、夫々の図示しない記憶部に記憶されたパスワードと、受信したパスワードを比較し、一致するとき、スイッチ部１１４、５１４、６１４に閉信号、開信号、開信号を与える。この閉信号、開信号、開信号によりスイッチ部１１４、５１４、６１４が閉成（ＯＮ）、開放、開放し、負荷１０８、５０８、６０８に電力、ガス、水が供給される（Ｓ５２２Ａ、Ｓ５２２Ｂ、Ｓ５２２Ｃ）。
これにより、電力量計１１０、ガス計５１０、水道計６１０は、電力量、ガス量、水量の計測を開始するとともに、その計測開始時の初期指示値を携帯電話器１３０に送信する（Ｓ５２４Ａ、Ｓ５２４Ｂ、Ｓ５２４Ｃ）。
携帯電話器１３０は、Ｓ５２４Ａ、Ｓ５２４Ｂ、Ｓ５２４Ｃにより初期指示値を受信すると、初期指示値を電力会社サーバ１５０、ガス会社サーバ１８０、水道会社サーバ１９０に送信し（Ｓ５２６Ａ、Ｓ５２６Ｂ、Ｓ５２６Ｃ）、その表示部に使用表示画面Ｗ５０４（図２０（ｃ））が表示される。
【００５８】
料金徴収は実施の形態１と同様であるのでその説明を省略する。
退居時には、退居指令が、入力支援サーバ７００を介して電力会社サーバ１５０、ガス会社サーバ１８０、水道会社サーバ１９０に送信される点を除いては実施の形態１と同様である。
なお、実施の形態１で説明したように、携帯電話器１３０のWWWブラウザ機能により電力会社サーバ１５０の新規入居画面にアクセスして、電力の供給を受け、電力と同様にして、ガス会社サーバ１８０、水道会社サーバの新規入居画面にアクセスして、ガス、水の供給を受けることもできる。
【００５９】
以上のように、ユーザはユーザ宅情報８００ユーザ宅ＩＤ番号を一度入力するのみで、入居時や退居時の手続きができ、効率的である
【００６０】
【発明の効果】
この発明に係るエネルギ供給システムは、負荷へのエネルギの供給及び停止を開閉信号に応じて切り換えるスイッチ部と、上記スイッチ部に対応した識別コードに基づいて上記スイッチ部を閉成する閉信号を選択して送信する識別サーバと、  第1の通信部により上記識別サーバに上記スイッチ部に対応した識別コードを送信した後、この識別サーバより上記閉信号を受信したとき、上記第1の通信部と通信方式の異なる第2の通信部により閉信号を上記スイッチ部に送信する中継制御端末器とを備えたので、磁気カードリーダ等が不要となり省スペース化できる。
【００６１】
また、識別コードが付され、スイッチ部を収納するとともに、エネルギの使用量を計量する計器を有し、上記計器の識別コードは、上記スイッチ部に対応する識別コードであるので、セキュリティの高いシステムを提供できる。
【００６２】
また、中継制御端末器を介して計器の計量値を収集する計量サーバを設けたので、検針員や大家による検針が不要となり、かつ、料金体系の変更にも容易に対応できる。
【００６３】
また、中継制御端末器は、現在の計量値データを計器から受信し、前回の計量値及び前回の計量以前のエネルギ使用量データを計量サーバから受信し、これらの受信信号に基づいてエネルギ使用量をその表示部に表示するように構成されたので、中継制御端末器の記憶部の容量を小さくできる。
【００６４】
また、計量サーバは、エネルギ使用量と料金に関連する複数の料金コースからなる料金体系データを保持し、過去のエネルギ使用量に基づいて、現在適用中の料金コースとその他の料金コースのときの料金を夫々演算し、その他の料金コースの中から最も料金が低くなる料金コースを選出し、その料金コースを適用したときの料金と現在の料金コースを適用したときの料金に関する信号を中継制御端末器に送信するように構成されたので、ユーザが安価にエネルギの供給を受けられる。
【００６５】
また、中継制御端末器は、エネルギ使用量に関連する複数の料金コースからこの料金コースを変更するための入力部と、現在の料金コースを適用したときの料金とその他の料金コースを適用したときの料金とを表示する表示部とを同一画面に表示するように構成したので、誤操作が少なく、かつ安価にエネルギの供給を受けられる。
【００６６】
また、中継制御端末器は、識別コードとともに自己の電話番号を送信する携帯電話器であって、識別サーバは、上記電話番号を上記携帯電話器を管理する携帯電話サーバに送信し、この携帯電話サーバより上記携帯電話番号に基づく承認があったとき、上記識別コードに基づいて上記スイッチ部を閉成する閉信号を選択して送信するように構成されたので、ユーザの個人情報が漏洩しないとともに、容易に承認することができる。
【００６７】
また、識別コードが付され、エネルギの使用量を計量する計器を有し、識別サーバは、上記計器の計量値に基づいて得られたエネルギ使用量に対応した料金を演算し、この料金の決済を依頼する信号を携帯電話サーバに送信するので、容易に決済が可能とあり、かつ確実に料金を精算できる。
【００６８】
また、開閉信号は、開信号と閉信号で異なる信号としたので、誤動作によりスイッチ部が開閉することを防止できる。
【００６９】
また、開閉信号に関する情報を中継制御端末器に表示しないので、セキュリティが優れる。
【００７０】
また、スイッチ部は、中継制御端末器と所定の期間通信できないとき、開閉しエネルギ供給を停止するように構成されたので、不要なエネルギ消費を抑制でき、かつ料金未回収の損失リスクが少ない。
【００７１】
また、スイッチ部は、預り金払込信号を入力し、その預り金払込額に応じてエネルギ供給停止までの所定の期間を延長するので、ユーザが利用しやすく、さらに料金未回収の損失リスクが少ない。
【００７２】
また、識別コードが付され、エネルギの使用量を計量する計器を有し、スイッチ部は、計量開始からの期間を検出し、この期間に応じてエネルギ供給停止までの所定の期間を延長するので、ユーザが利用しやすく、さらに料金未回収の損失リスクが少ない。
【００７３】
また、第１、第２の負荷へのエネルギの供給及び停止を第１、第２の開閉信号に応じて切り換える第１、第２スイッチ部と、上記第１、第２スイッチ部を統括する統括識別コードからこれら第１、第２のスイッチ部に対応した第１、第２の識別コードを選出し、この第１、第２の識別コードに基づいて上記第１、第２のスイッチ部を開閉する開閉信号を送信する識別サーバと、上記識別サーバに上記第１、第２のスイッチ部を統括する統括識別コードを送信した後、上記第１、第２の識別コードとともに第１、第２の開閉信号を受信したとき、上記第１、第２スイッチ部に上記第１、第２の開閉信号を送信する中継制御端末器とを備えたので、省スペース化で、きかつユーザの使用手続き処理が緩和される。
【００７４】
また、中継制御端末器は、第２の通信部により通信可能な機器の識別コードを収集し、この収集した識別コードのうち、第１、第２の識別コードが一致する機器に第１、第２の開閉信号を送信するように構成されたので、正確に設定でき、かつユーザによる手続き処理がさらに緩和される。
【００７５】
また、この発明に係るエネルギ供給システム用の中継制御端末器は、負荷へのエネルギの供給及び停止を閉開信号に応じて切り換えるスイッチ部に対応した識別コードを入力する手段と、識別サーバに上記識別コードを送信するとともにこの識別サーバからこの識別コードにより得られたスイッチ部の閉信号を受信する第1の通信部と、上記第1の通信部と通信方式が異なり、上記識別サーバより上記閉信号を受信したとき、閉信号を上記スイッチ部に送信する第2の通信部とを備えたもので、省スペース化できるとともに容易にエネルギを供給させ、システム変更に対応することができる。
【００７６】
また、この発明に係るエネルギ供給システム用のプログラムは、負荷へのエネルギの供給及び停止を閉開信号に応じて切り換えるスイッチ部に対応した識別コードを入力させるステップと、識別サーバに上記識別コードを第１の通信部より送信させるステップと、上記識別サーバから上記識別コードより得られたスイッチ部の開信号を上記第１の通信部により受信させるステップと、上記識別サーバより上記閉信号を受信したとき、上記第1の通信部と通信方式が異なる第2の通信部により、閉信号を上記スイッチ部に送信させるステップとを含むので、容易にエネルギを供給させ、システム変更に対応することができる。
【図面の簡単な説明】
【図１】  この発明の実施の形態１に係る電力供給システムの概略構成を示すブロック図である。
【図２】  図１の電力量計の機能を説明するブロック図である。
【図３】  図１の携帯電話器の機能を説明するブロック図である。
【図４】  図１の電力供給システムの概略動作を説明するタイミングチャートである。
【図５】  図1の携帯電話器に表示される画面を示す図である。
【図６】  図１の携帯電話器で実行されるプログラムのフローチャートである。
【図７】  携帯電話器の使用時の表示画面を示す図である。
【図８】  トレンド表示を説明するフローチャートである。
【図９】  見積り表示を説明するフローチャートである。
【図１０】  過去実績表示を説明するフローチャートである。
【図１１】  図１１は電力会社サーバに記憶される料金体系テーブルを示す表図である。
【図１２】  実施の形態３に係る電力供給システムの動作を説明するフローチャートである。
【図１３】  実施の形態４に係る電力量計の動作を説明するフローチャートである。
【図１４】  携帯電話器のメッセージ画面を示す図である。
【図１５】  電力供給システムの入居時の動作を説明するタイミングチャートである。
【図１６】  実施の形態５の電力、ガス、水を供給するシステムの概略構成を示すブロック図である。
【図１７】  図１６の電力、ガス、水供給システムの概略動作を説明するタイミングチャートである。
【図１８】  図１６の入力支援サーバに保管されたユーザ宅ＩＤ番号に対応する計器ＩＤ番号及びパスワードテーブルを示す図である。
【図１９】  図１６の携帯電話器が収集した通信可能なbluetooth対応機器のＩＤ番号を説明する表図である。
【図２０】  図１６の携帯電話器に表示される画面を示す図である。
【図２１】  従来の電力供給装置を示す図である。
【符号の説明】
１００  ユーザ宅、  １０４  負荷、    １１０  電力量計、    １１２  センサ部、    １１４  スイッチ部、    １１６  演算部、    １１８  表示部、    １２０  通信部、
１２４  ＩＤ番号、    １３０  携帯電話器、    １３１  演算部、    １３２  表示部、    １３４  第１の通信部、    １３６  第２の通信部、    １３８  記憶部、    １３９  入力部、    １５０  電力会社サーバ、    １６０電話会社サーバ、    １７０  クレジット会社サーバ、    １８０  ガス会社サーバ、    １９０  水道会社サーバ、    ５０４  負荷、    ５１０  ガス量計、    ５１４  スイッチ部、    ５１８  表示部、    ６０４  負荷、    ６１０  水道計、    ６１４  スイッチ部、    ６１８  表示部、    ７００  入居支援サーバ、    ８００  ユーザ宅情報
Ｗ１００  新規入居画面、    Ｗ１０２  設定画面、    Ｗ１０４  使用表示画面、    Ｗ１０６  請求画面、    Ｗ１０８  請求画面、    Ｗ１１０    退居画面、    Ｗ１３０  トレンド表示画面（月）、    Ｗ１３２  トレンド表示画面（日）、    Ｗ１３４  見積り表示画面、    Ｗ１３６  過去実績表示画面
【図１】
0004325111.tif 000002
【図２】
0004325111.tif 000003
【図３】
0004325111.tif 000004
【図４】
0004325111.tif 000005
【図５】
0004325111.tif 000006
【図６】
0004325111.tif 000007
【図７】
0004325111.tif 000008
【図８】
0004325111.tif 000009
【図９】
0004325111.tif 000010
【図１０】
0004325111.tif 000011
【図１１】
0004325111.tif 000012
【図１２】
0004325111.tif 000013
【図１３】
0004325111.tif 000014
【図１４】
0004325111.tif 000015
【図１５】
0004325111.tif 000016
【図１６】
0004325111.tif 000017
【図１７】
0004325111.tif 000018
【図１８】
0004325111.tif 000019
【図１９】
0004325111.tif 000020
【図２０】
0004325111.tif 000021
【図２１】
0004325111.tif 000022